(57)【要約】【課題】脱落防止機能を有しており、しかも優れた成形性および施工性を発揮することができるのし瓦を提供する。【解決手段】屋根の棟部２０で積み重ねて施工するのし瓦であって、のし瓦本体１の表面側１ａと裏面側１ｂにそれぞれ表面側突起３と裏面側突起４が設けられ、のし瓦本体１を前記棟部２０に積み重ねた場合に、上側になるのし瓦の裏面側突起４を下側になるのし瓦の表面側突起３に係止させることで脱落を防止するように構成されており、また前記表面側突起３の長手方向端面がのし瓦本体１の長手方向端面と面一となっていて、この長手方向端面を底面として焼成炉にのし瓦本体１を垂直に立ててセットした場合に、前記表面側突起３の端面が支えとなり自立可能な構造となっている。【選択図】図１
2016160726.tif 000002
【特許請求の範囲】
【請求項１】
屋根の棟部で積み重ねて施工するのし瓦であって、
のし瓦本体の表面側と裏面側にそれぞれ表面側突起と裏面側突起が設けられ、のし瓦本体を前記棟部に積み重ねた場合に、上側になるのし瓦の裏面側突起を下側になるのし瓦の表面側突起に係止させることで脱落を防止するように構成されており、
また前記表面側突起の長手方向端面がのし瓦本体の長手方向端面と面一となっていて、この長手方向端面を底面として焼成炉にのし瓦本体を垂直に立ててセットした場合に、前記表面側突起の端面が支えとなり自立可能な構造となっていることを特徴とするのし瓦。
【請求項２】
表面側突起はのし瓦本体の長手方向の両端部に設けられており、裏面側突起はのし瓦を長手方向に半分ずらせて積み重ねた場合に、前記表面側突起に係止するように長手方向の中央部に設けられている請求項１に記載ののし瓦。
【請求項３】
表面側突起の高さは裏面側突起の高さよりも大きくて、のし瓦を積み重ねた場合に、表面側突起の先端部が上側になるのし瓦の裏面に当接して上側と下側ののし瓦本体の間隔を一定にするように構成されている請求項１または２に記載ののし瓦。
【発明の詳細な説明】
【技術分野】
【０００１】
本発明は、脱落防止機能を有しており、しかも優れた成形性および施工性を発揮するのし瓦に関するものである。
【背景技術】
【０００２】
従来から日本家屋では、屋根の中央部にのし瓦を複数枚積み上げ、その最上部に冠瓦を載せた棟部が形成されている。前記のし瓦は緩やかに湾曲した板形状からなり、表面側はほとんど平滑である一方、裏面側は棟部内に充填した葺き土（馴染み土ともいう）を噛み込めるように凹凸が形成されているのが普通であった。また、地震対策として針金（または釘）挿通用の数個の穴を設けておき、これを利用して針金（または釘）で固定するのが普通であった。
【０００３】
しかしながら、大きな地震の場合はそれだけではのし瓦の脱落やズレを防止して棟を守ることが難しいという問題があった。そこで最近では、のし瓦を積み上げた場合に、上側になるのし瓦の裏面側突部を下側になるのし瓦の表面側突部に係止させる構造として、のし瓦の脱落やズレを防止するようにしたものが種々提案されている（例えば、特許文献１や特許文献２を参照）。
【０００４】
一方、のし瓦は緩やかに湾曲しているが全体的には一枚の薄板状であり、焼成工程において直立姿勢を保持させることは難しいという問題があった。そのため、倒れを防止するのに瓦の上部にステンレス製の金串治具を差し込んで安定を図ったり、その他、瓦の載置部と背凭れ部を有する焼成用治具にのし瓦をセットして転倒の防止を図っていた（例えば、特許文献３や特許文献４を参照）。
【０００５】
しかしながら、のし瓦にステンレス製の金串治具を嵌め外しする作業や、のし瓦を焼成用治具にセットする作業に手間がかかるという問題があり、また金串治具から出た錆が瓦に付着して品質低下を生じるという問題があった。また、金串治具や焼成用治具の導入や高温焼成に起因した消耗による治具の入れ替えコストは膨大であり、生産者に大きな負担を強いることになるという問題もあった。
【０００６】
更に、一般的にのし瓦は施工後に露出する部分（木端部）が接触して互いに乗合い、かつ支え合っており、他方、棟の内部へ差し込まれている部分は葺き土を用いて露出している前記木端部に一定の立ち上がり角度をつけて保持させた構造となっている。これは、木端部の立ち上がり角度が各段ともほぼ同じにならないと美しく見えないことと、棟の内部に雨水が侵入しないようにするためである。従って、のし瓦をしっかり固定するには大量の葺き土が必要となりコスト増になるという問題があった。また、木端部に一定の立ち上がり角度をつけるのは作業者の勘に頼る職人技であり、経験の浅い職人には難しく作業性も劣るという問題があった。
【先行技術文献】
【特許文献】
【０００７】
【特許文献１】特開２０００−２７３７６号公報
【特許文献２】特開２００７−３３２５６１号公報
【特許文献３】特開２００４−５１４６３号公報
【特許文献４】特開平９−１１０５１３号公報
【発明の概要】
【発明が解決しようとする課題】
【０００８】
本発明は上記のような問題点を解決して、大きな地震にも耐えられる脱落防止機能を発揮することができ、また自立性を有しており焼成炉内において特別な焼成用治具が不要で優れた成形性を発揮することができ、また葺き土が不要あるいは少量ですみ、しかも瓦の積み上げ作業を誰もが簡単かつ正確に行えて優れた施工性を発揮することができるのし瓦を提供することを目的とするものである。
【課題を解決するための手段】
【０００９】
上記課題を解決するためになされた本発明ののし瓦は、屋根の棟部で積み重ねて施工するのし瓦であって、
のし瓦本体の表面側と裏面側にそれぞれ表面側突起と裏面側突起が設けられ、のし瓦本体を前記棟部に積み重ねた場合に、上側になるのし瓦の裏面側突起を下側になるのし瓦の表面側突起に係止させることで脱落を防止するように構成されており、
また前記表面側突起の長手方向端面がのし瓦本体の長手方向端面と面一となっていて、この長手方向端面を底面として焼成炉にのし瓦本体を垂直に立ててセットした場合に、前記表面側突起の端面が支えとなり自立可能な構造となっていることを特徴とするものである。
【００１０】
表面側突起はのし瓦本体の長手方向の両端部に設けられており、裏面側突起はのし瓦を長手方向に半分ずらせて積み重ねた場合に、前記表面側突起に係止するように長手方向の中央部に設けられているものが好ましく、これを請求項２に係る発明とする。
【００１１】
表面側突起の高さは裏面側突起の高さよりも大きくて、のし瓦を積み重ねた場合に、表面側突起の先端部が上側になるのし瓦の裏面に当接して上側と下側ののし瓦本体の間隔を一定にするように構成されているものが好ましく、これを請求項３に係る発明とする。
【発明の効果】
【００１２】
請求項１に係る発明では、のし瓦本体を棟部に積み重ねた場合に、上側になるのし瓦の裏面側突起を下側になるのし瓦の表面側突起に係止させるようにしたので、大きな地震等があっても脱落やズレを防止することができる。また、前記表面側突起の長手方向端面がのし瓦本体の長手方向端面と面一となるようにしたので、この長手方向端面を底面として焼成炉にのし瓦本体を垂直に立ててセットした場合に、前記表面側突起の端面が支えとなって自立できることとなり、従来のように倒れ防止用の治具を用いなくても焼成処理することが可能となる。
【００１３】
請求項２に係る発明では、表面側突起はのし瓦本体の長手方向の両端部に設けられており、裏面側突起はのし瓦を長手方向に半分ずらせて積み重ねた場合に、前記表面側突起に係止するように長手方向の中央部に設けられているので、表面側突起および裏面側突起の形状を小さくすることが可能で優れた成形性、軽量性を発揮できる。
【００１４】
請求項３に係る発明では、表面側突起の高さは裏面側突起の高さよりも大きくて、のし瓦を積み重ねた場合に、表面側突起の先端部が上側になるのし瓦の裏面に当接して上側と下側ののし瓦本体の間隔を一定にするように構成されているので、何人が施工しても常にのし瓦本体を一定の位置関係に設置できて木端面の立ち上がり角度を一定に保つことができる。また、従来はのし瓦本体を大量の葺き土を用いて保持していたが、表面側突起の先端部で保持するため葺き土はゼロ若しくは限りなく少なくすることができる。
【図面の簡単な説明】
【００１５】
【図１】本発明ののし瓦を積み重ねた状態を示す斜視図である。
【図２】分割前の状態を示す斜視図である。
【図３】図２ののし瓦を垂直に立てた状態を示す縦断面図である。
【図４】本発明ののし瓦を積み重ねた棟部を示す縦断面図である。
【図５】その他の実施例ののし瓦を積み重ねた棟部を示す縦断面図である。
【発明を実施するための形態】
【００１６】
以下に、図面を参照しつつ本発明の好ましい実施の形態を示す。
本発明ののし瓦は屋根の棟部２０で積み重ねて施工するものである。図１は本発明ののし瓦を積み重ねた状態を示す斜視図であり、図中１はのし瓦本体で、緩やかに湾曲した凸形状の面を表面側１ａとし凹形状の面を裏面側１ｂとしている。
なお、図２に示すように、施工前ののし瓦本体１の中央部の裏面側には、割り溝２がほぼ全長にわって設けられており、のし瓦本体１はこの割り溝２に沿って左右に分割された状態で棟部２０に積み重ねられ使用に供される。
【００１７】
前記のし瓦本体１の表面側１ａと裏面側１ｂには、それぞれ表面側突起３と裏面側突起４が設けられ、のし瓦本体を棟部に積み重ねた場合に、上側になるのし瓦の裏面側突起４を下側になるのし瓦の表面側突起３に係止させることで脱落を防止するように構成されている。これにより、のし瓦本体１は大きな地震等があっても脱落やズレが防止されて高い安全性を発揮することができる。
【００１８】
また前記表面側突起３の長手方向端面がのし瓦本体１の長手方向端面と面一となっていて、焼成炉の基台３０上にのし瓦本体１を垂直に立ててセットした場合に、前記表面側突起３の端面が支えとなり自立可能な構造となっている（図３を参照）。即ち、のし瓦本体１は平面視で緩やかに湾曲した弓型形状であり、垂直に立てた場合に自立可能であるが不安定である。特に、凸形状の面である表面側１ａに向けて転倒しやすい形状である。そこで、従来はステンレス製の金串治具や瓦の載置部と背凭れ部を有する焼成用治具などを用いてのし瓦の転倒防止を図っていた。
しかしながら、本発明では表面側突起３の長手方向端面をのし瓦本体１の長手方向端面と面一となるように構成してあり、この表面側突起３によって表面側１ａへの転倒が的確に防止されることとなる。この結果、従来のような治具を用いることなく確実にのし瓦本体１を垂直に立てることが可能となり前記治具の装着が不要で、しかも焼成処理をより短時間かつ低コストで行えることとなる。
【００１９】
また前記表面側突起３は、図示のものではのし瓦本体１の長手方向の両端部に２個設けられている。一方、裏面側突起４は、のし瓦を長手方向に半分ずらせて積み重ねた場合に、前記表面側突起３に係止するように長手方向の中央部に２個設けられている。なお前記突起の設置位置や設置個数については任意に設計できることは勿論である。
従来は、表面側突起および裏面側突起をのし瓦の長手方向の全長にわたって設けたものが知られているが、本発明では表面側突起３および裏面側突起４を矩形の突起物形状とし、かつ所定位置に所定個数（図示のものでは２個）だけ設けるので優れた成形性および軽量性を発揮することができることとなる。
【００２０】
次に、本発明ののし瓦を積み重ねた棟部２０の構成の概略につき説明する。
図４に示すように、棟部２０は左右両側の桟瓦２１の上面に、それぞれ複数枚（図示のものでは３枚）ののし瓦本体１が積み重ねられており、最上段ののし瓦本体１の上には冠瓦２２が載せられている。前記のし瓦本体１は、モルタルや葺き土２３を用いた湿式工法で積み重ねられており、また前記冠瓦２２は図示しない針金等を用いて補強金具等に取り付けられた棟芯材に緊結されている。
【００２１】
前記のし瓦本体１の表面側１ａには表面側突起３が設けられ、また裏面側１ｂには裏面側突起４が設けられており、棟部２０において、上側になるのし瓦の裏面側突起４を下側になるのし瓦の表面側突起３に係止させるように積み重ねられている。これにより、大きな地震等があってものし瓦本体１の外側方向への脱落やズレが防止されて高い安全性を発揮する構造となっている。
また、前記表面側突起３と裏面側突起４を係止させると、上下ののし瓦本体１の木端面間の距離であるチリ巾（ｄ）を一定寸法になるよう施工できるので、優れた美感を呈することになる。
【００２２】
前記のし瓦本体１は、施工後において木端部１ｃの下端部が下側にあるのし瓦本体１の上面に接触して互いに乗合い、かつ支え合っており、他方、棟の内部へ差し込まれている部分は葺き土２３を用いて保持させた構造となっている。これにより、木端部１ｃの下端部から雨水が棟部２０内へ侵入するのを防止している。なお、葺き土２３にかえてモルタルや発泡樹脂等を用いることもできる。
また、前記葺き土２３の量やのし瓦本体１の差し込み角度等を調整することにより、露出している前記木端部１ｃに一定の立ち上がり角度をつけて保持させた構造となっており、優れた美感を呈することができる。
【００２３】
図５は、その他の実施例ののし瓦を積み重ねた棟部を示す縦断面図である。
図５に示すものでは、表面側突起３の高さは裏面側突起４の高さよりも大きくて、のし瓦を積み重ねた場合に、前記表面側突起３の先端部が上側になるのし瓦の裏面に当接して上側と下側ののし瓦本体の間隔を常に一定にするように構成されている。これにより、木端部１ｃの立ち上がり角度を各段ともほぼ同じにして優れた美感を発揮することが可能となる。
【００２４】
従来技術においては、のし瓦本体１の棟内部へ差し込んだ部分は葺き土２３により保持する構造となっているため大量の葺き土２３を必要としたが、本発明では下側に位置するのし瓦の表面側突起３の先端部が上側になるのし瓦の裏面に当接して支える構造であるから、前記葺き土２３は全くいらないか若しくは少量のみ必要とする程度であり、施工コストを大幅に低減することができる。しかも、木端部１ｃに一定の立ち上がり角度をつけるのは作業者の勘に頼る職人技であり、経験の浅い職人には難しく作業性も劣るという問題があったが、本発明では上側と下側ののし瓦本体の距離が常に一定になる構造であり、何人も容易に施工でき、しかも常に木端面の角度を一定に保つことが可能になる。
【００２５】
以上の説明からも明らかなように、本発明はのし瓦本体を棟部に積み重ねた場合に、上側になるのし瓦の裏面側突起を下側になるのし瓦の表面側突起に係止させる構造とし、また前記表面側突起の長手方向端面がのし瓦本体の長手方向端面と面一となっている構造としたので、大きな地震にも耐えられる脱落防止機能を発揮することができ、また自立性を有しており焼成炉内において特別な焼成用治具が不要で優れた成形性を発揮することができることとなる。更には、葺き土が不要あるいは少量ですみ、また瓦の積み上げ作業を誰もが簡単かつ正確に行えて優れた施工性を発揮する等の利点も有する。
【符号の説明】
【００２６】
１  のし瓦本体
１ａ  表面側
１ｂ  裏面側
１ｃ  木端部
２  割り溝
３  表面側突起
４  裏面側突起
２０  棟部
２１  桟瓦
２２  冠瓦
２３  葺き土
３０  基台
ｄ  チリ巾
【図１】
2016160726.tif 000003
【図２】
2016160726.tif 000004
【図３】
2016160726.tif 000005
【図４】
2016160726.tif 000006
【図５】
2016160726.tif 000007